(57)【要約】【課題】  使い勝手が良く、家事、料理、趣味、勉強等にも対応できる多機能性を備えると共に、コミュニケーションが生まれる場を容易に作ることのできるテーブルを提供する。【解決手段】  横長帯板形状のテーブル板１９を備えるテーブル本体２０と、テーブル板１９の上方に間隔を保持して立設配置される収納箱２１と、テーブル板１９をスライドガイド部として収納箱２１をテーブル板１９の長手方向Ｘにスライドさせるスライド機構２２とからなる。収納箱２１は、テーブル板１９を挟んだ上方に配置される上方収納部２３と下方の床面２４上に配置される下方収納部２５とを一体化した背高収納体２６の上方収納部２３によって構成される。スライド機構２２は、テーブル板１９の下方において床面２４に設置された案内レール２７と下方収納部２５の下端部に取り付けられて案内レール２７に沿って走行する戸車部材２８とによって構成される。【選択図】      図２
2005176961.tif 000002
【特許請求の範囲】
【請求項１】
横長帯板形状のテーブル板を備えるテーブル本体と、前記テーブル板の上方に間隔を保持して立設配置される収納箱と、前記テーブル板をスライドガイド部として前記収納箱を当該テーブル板の長手方向に沿ってスライドさせるスライド機構とからなるテーブル。
【請求項２】
前記収納箱は、前記テーブル板を挟んだ上方に配置される上方収納部と前記テーブル板を挟んだ下方の床面上に配置される下方収納部とを一体化した背高収納体の前記上方収納部によって構成されるものであり、前記スライド機構は、前記テーブル板の下方において床面に設置された案内レールと前記下方収納部の下端部に取り付けられて前記案内レールに沿って走行する戸車部材とによって構成される請求項１に記載のテーブル。
【請求項３】
前記スライド機構は、前記収納箱の下端部に設けられたスライド支持金物の、前記テーブル板の両側角部をＬ字形に覆うＬ字形状部分に取り付けられた、前記テーブル板の側端面に沿って走行する端面戸車部材と、前記テーブル板の上面側縁部に沿って走行する縁部戸車部材とによって構成される請求項１に記載のテーブル。
【請求項４】
前記収納箱には、食器、調理具、書籍、雑誌、新聞、テレビ、又はパソコンが収納される請求項１〜３のいずれかに記載のテーブル。
【請求項５】
請求項１〜４のいずれかに記載のテーブルを、キッチンの調理台及び／又は洗い場に隣接して配置したダイニングキッチン。
【発明の詳細な説明】
【技術分野】
【０００１】
本発明は、テーブル及びダイニングキッチンに関し、特にテーブル本体と収納箱とからなるテーブル及び該テーブルを設置したダイニングキッチンに関する。
【背景技術】
【０００２】
近年の食意識の高まりに伴って、ダイニングキッチンは、家庭内におけるコミュニケーションの場として重要な位置を占めるようになってきており、例えば新しいタイプの参加（コミュニケーション）型のオープンキッチンの採用が増えてきている。また、近年の住宅事情では、居住者は各々個室を持っていることが多く、居住者同士が触れ合う機会も少なくなってきていることから、コミュニケーションの場としてのダイニングキッチンの役割は、さらに重要度を増している。したがって、単に料理や食事をする場所に留まらず、家族と一緒に家事、料理、趣味、勉強、情報伝達等を行う場として、ダイニングキッチンに多機能性を付与することが望まれている。
【０００３】
一方、例えば居住者や来訪者が集う居間や応接室等に、必要に応じてキッチンとしての機能を付与して、料理やドリンク類をその場で簡易に提供することを可能にするためのサービスワゴンが開発されている（例えば、特許文献１参照）。特許文献１に記載のサービスワゴンによれば、例えばリビングルーム等の壁面に設けられた収納部に収納されたサービスワゴンを適宜取り出し、収納時のコンパクトな形態から、天板を拡げることにより調理器等が設けられた調理台を形成して、リビングルーム等において簡単な調理等を行えるようにするものである。
【特許文献１】特開平１２−１９７５２４号公報
【発明の開示】
【発明が解決しようとする課題】
【０００４】
しかしながら、特許文献１に記載のサービスワゴンによれば、居間や応接室等に調理が可能な別の機能を付与するものであるが、これをダイニングキッチンに配設しても、単なるワゴンとしてしか使用できず、却って邪魔になって当該ダイニングキッチンに多機能性を効率良く付与することは困難である。また使い勝手の良いダイニングキッチンのプランとして、ダイニングキッチンに大きなスペースを取ってテーブルや調理台の付近に例えば主婦のための家事コーナー等を設けるといった提案がなされているが、住宅によってはダイニングキッチンに大きなスペースをさく余裕が無い場合もある。一方、ダイニングキッチンのコミュニケーションの場としての機能の向上のために、大型のテーブルがダイニングキッチンに設置されることが多くなってきており、例えばホームパーティー等にも充分に対応できるような工夫がなされているが、このような大型のテーブルは、例えば少人数の居住者のみが食事等をする場合や、食事をする者と家事や趣味等を行う者とが混在してテーブルを使用する場合には、却って使い勝手が悪くなる。
【０００５】
本発明は、このような従来の課題に着目してなされたもので、使い勝手が良く、家事、料理、趣味、勉強等にも対応できる多機能性を備えると共に、コミュニケーションが生まれる場を容易に作ることのできる、ダイニングキッチンに設置されるテーブル及びダイニングキッチンを提供することを目的とする。
【課題を解決するための手段】
【０００６】
本発明は、横長帯板形状のテーブル板を備えるテーブル本体と、前記テーブル板の上方に間隔を保持して立設配置される収納箱と、前記テーブル板をスライドガイド部として前記収納箱を当該テーブル板の長手方向に沿ってスライドさせるスライド機構とからなるテーブルを提供することにより、上記目的を達成したものである。
【０００７】
また、本発明のテーブルによれば、前記収納箱は、前記テーブル板を挟んだ上方に配置される上方収納部と前記テーブル板を挟んだ下方の床面上に配置される下方収納部とを一体化した背高収納体の前記上方収納部によって構成されるものであり、前記スライド機構は、前記テーブル板の下方において床面に設置された案内レールと前記下方収納部の下端部に取り付けられて前記案内レールに沿って走行する戸車部材とによって構成されることが好ましい。
【０００８】
さらに、本発明のテーブルによれば、前記スライド機構は、前記収納箱の下端部に設けられたスライド支持金物の、前記テーブル板の両側角部をＬ字形に覆うＬ字形状部分に取り付けられた、前記テーブル板の側端面に沿って走行する端面戸車部材と、前記テーブル板の上面側縁部に沿って走行する縁部戸車部材とによって構成されることが好ましい。
【０００９】
さらにまた、本発明のテーブルによれば、前記収納箱には、食器、調理具、書籍、雑誌、新聞、テレビ、又はパソコンが収納されることが好ましい。
【００１０】
また、本発明は、上記いずれかのテーブルを、キッチンの調理台及び／又は洗い場に隣接して配置したダイニングキッチンを提供することにより、上記目的を達成したものである。
【発明の効果】
【００１１】
本発明のダイニングキッチンに設置されるテーブル及びダイニングキッチンによれば、使い勝手が良く、家事、料理、趣味、勉強等にも対応できる多機能性を備えると共に、コミュニケーションが生まれる場を容易に作ることができる。
【発明を実施するための最良の形態】
【００１２】
本発明の好ましい第１実施形態に係るテーブル１０は、図１に示すように、例えば２階建て木造住宅１１の１階部分において、西側端部に配設された例えば８〜１６畳程度の広さのダイニングキッチン１２に設置されて、ダイニングテーブル兼用の多機能性を有するテーブルとして用いられ、例えば家族等の居住者のためのコミュニケーションが生まれる場を容易に作ることができるようにするものである。
【００１３】
ここで、本第１実施形態によれば、ダイニングキッチン１２は、南北方向に縦長となった略矩形形状に区画されており、その西側の壁面に沿って、北側略半分の領域には、調理台、洗い場、ガスコンロ等を備えるシステムキッチン１３が設置されている。また西側の壁面に沿って、冷蔵庫や食器棚を設置するスペース１４や、収納部１５が設けられている。さらに、ダイニングキッチン１２には、隣接する通路１６、茶の間１７、和室１８等から出入りできるようになっている。
【００１４】
そして、本第１実施形態のテーブル１０は、ダイニングキッチン１２に設置されるテーブルであって、図２及び図３にも示すように、横長帯板形状のテーブル板１９を備えるテーブル本体２０と、テーブル板１９の上方に間隔を保持して立設配置される収納箱２１と、テーブル板１９をスライドガイド部として収納箱２１を当該テーブル板１９の長手方向Ｘに沿ってスライドさせるスライド機構２２とからなる。
【００１５】
また、第１実施形態によれば、収納箱２１は、テーブル板１９を挟んだ上方に配置される上方収納部２３とテーブル板１９を挟んだ下方の床面２４上に配置される下方収納部２５とを一体化した背高収納体２６の上方収納部２３によって構成されるものであり、スライド機構２２は、テーブル板１９の下方において床面２４に設置された案内レール２７と下方収納部２５の下端部に取り付けられて案内レール２７に沿って走行する戸車部材２８とによって構成される。
【００１６】
さらに、本第１実施形態によれば、テーブル１０は、ダイニングキッチン１２においてその北側部分をシステムキッチン１３の調理台や洗い場に隣接させて、テーブル板１９の長手方向Ｘを南北方向に沿わせるようにして配置されている。
【００１７】
本第１実施形態のテーブル１０を構成するテーブル本体２０は、テーブル板１９と、テーブル板１９の南側端部を下方から支持するように取り付けれる板状支持脚部２９と、テーブル板１９の北側端部を下方から支持するように取り付けれる箱状支持脚部３０とからなる。テーブル板１９は、例えば巾７５〜１２０ｃｍ、長さ２７０〜５００ｃｍ程度の大きさを有する横長帯板形状の平板部材であり、テーブル本体２０の南側部分は、テーブル板１９を挟んで両側に座った例えば４〜８人程度の居住者が、対面した状態で食事をするのに十分な広さを備えている。またテーブル板１９の中央よりやや北側に寄った部分には、薄厚の電磁加熱調理器３１が、埋め込まれるようにして設置されている。
【００１８】
テーブル板１９の南側端部に設置される板状支持脚部２９は、例えば巾７５〜１２０ｃｍ、高さ７０〜８５ｃｍ程度の大きさを有する矩形形状の平板部材であり、その上端面をテーブル板１９の端縁部の下面に一体接合して、箱状支持脚部３０と共に、テーブル板１９を、椅子に座って食事や家事をするのに適した高さに強固に保持する。テーブル板１９の北側端部に設置される箱状支持脚部３０は、北側の側面及び下面が開口面となった例えば巾７５〜１２０ｃｍ、高さ７０〜８５ｃｍ、奥行き４５〜７０ｃｍ程度の大きさを有する中空六面体形状の箱部材であり、その上面部をテーブル板１９の端部の下面に一体接合して、板状支持脚部２９と共に、テーブル板１９を、椅子に座って食事や家事をするのに適した高さに強固に保持する。箱状支持脚部３０の北側の側面及び下面が開口面となっていることにより、テーブル本体２０の北側端面から椅子を出し入れしつつ、テーブル本体２０の北側端部を例えば作業机として効率良く使用することが可能になると共に、開口面となったテーブル本体２０の北側の端面に引出し等を適宜設けておくこともできる。
【００１９】
本第１実施形態によれば、テーブル板１９の上方に立設配置される収納箱２１は、背高収納体２６の上方収納部２３によって構成されるものであり、例えば巾８５〜１３０ｃｍ、テーブル板１９の長手方向Ｘに沿った長さ４５〜１００ｃｍ、高さ９０〜１６０ｃｍ程度の大きさの略六面体の外郭形状を有している。なお、収納箱２１は、これの内部を仕切る例えば水平板や垂直板等を適宜設けると共に、外周面を開口面としたり、開閉扉や引出し等を設けることにより、収納箱２１としての利便性を向上させた状態で用いられる。
【００２０】
本第１実施形態によれば、例えば収納箱２１の下部における長手方向Ｘと対向する両側の面を開口面とすると共に、下部中央を長手方向Ｘと垂直な垂直板で仕切って、ダイニングテーブルとして用いる板状支持脚部２９側の部分を例えばテレビ収容部としてテレビ３２を設置すると共に、作業机として用いる箱状支持脚部３０側の部分を例えばパソコン収容部としてパソコンを設置している。また収納箱２１の下部における開口面となっていない両側面３３は、レシピ貼りボードやコルク伝言板等として用いられている。さらに、パソコン収納部等の上部は、例えばその中央を長手方向Ｘに沿った垂直板で仕切ると共に、複数の水平板で上下に仕切って、システムキッチン１３と対向する側を、例えば料理本収納棚や食器棚等として用いると共に、これと反対側の部分には例えば複数の引出し３４取り付けて、小物入れ等として用いることができるようになっている。さらにまた、照明器具４３を適宜取り付けて、食事をする時や作業をする時の十分な明るさを容易に確保できるようになっている。
【００２１】
上方収納部２３と共に背高収納体２６を構成する下方収納部２５は、スライドガイド部としてのテーブル板１９を挿通させるロの字開口部３５を介して上方収納部２３と一体化され、テーブル板１９とこれの下方の床面２４との間に配置される、例えば巾８５〜１３０ｃｍ、テーブル板１９の長手方向Ｘに沿った長さ４５〜１００ｃｍ、高さ６５〜８５ｃｍ程度の大きさの六面体形状を有する部分である。下方収納部２５は、例えば新聞収納部やマガジンラックとして用いられると共に、これの底面板３６には、スライド機構２２を構成する戸車部材２８が例えば４箇所に配置されて取り付けられている。そして、これらの戸車部材２８は、テーブル板１９の下方の床面２４に埋め込むようにして取り付けられた、テーブル板１９の長手方向Ｘに延設する一対の案内レール２７に走行可能に係止されて、この案内レール２７に沿ってスライド走行させることにより、下方収納部２５と上方収納部２３とが一体となった背高収納体２６を、テーブル板１９によって案内させつつスムーズにスライド移動させることができるようになっている。
【００２２】
上方収納部２３と下方収納部２５との間に介在するロの字開口部３５は、上方収納部２３の底面板３７の両側縁部と下方収納部２５の天面板３８の両側縁部と間に、例えば６〜１０ｃｍ程度の高さの帯板３９を介在させることにより、上方収納部２３を下方収納部２５に対して嵩上げした状態として、これらの間に例えば巾７９〜１２４ｃｍ、高さ６〜１０ｃｍ程度の扁平なロの字形状の開口断面を有する貫通口４０を形成する。テーブル本体２０は、ロの字開口部３５の貫通口４０にテーブル板１９を、当該テーブル板１９の上方に間隔を保持しつつ挿通配置した状態で、床面２４に設置される。また帯板３９の内側面には、テーブル板１９の長手方向Ｘに所定の間隔をおいて、ローラ取付け凹部４１が複数箇所に切欠き形成されており、各ローラ取付け凹部４１には、スライドローラ４２が、回転自在に軸支された状態で取り付けられている。スライドローラ４２は、各ローラ取付け凹部４１から側方に突出してテーブル板１９の側端面に当接することにより、テーブル板１９をスライドガイド部とした収納箱２１のスライド移動を、さらにスムーズに行うことができるようになっている。
【００２３】
戸車部材２８と共にスライド機構２２を構成する案内レール２７は、例えば戸車部材２８を走行可能に係止する走行溝を上面に備えるレール部材であって、テーブル板１９の下方においてこれの長手方向Ｘに平行に延設して一対配設されることにより、テーブル板１９によって案内させつつ、上方収納部２３と下方収納部２５とが一体となった背高収納体２６を、テーブル板１９の長手方向Ｘに沿ってスムーズにスライド移動させるものである。また案内レール２７には、テーブル板１９の長手方向Ｘへの移動範囲を規制する規制部材が適宜設けられていて、背高収納体２６がダイニングテーブル側や作業机側に移動し過ぎるのを防止すると共に、戸車部材２８にはストッパーが適宜設けられていて、所望のスライド位置において背高収納体２６を安定した状態で停止させておくことができるようになっている。
【００２４】
そして、上述の構成を有する本第１実施形態のテーブルによれば、ダイニングキッチン１２に設置されて用いられ、例えば食事をする人数に応じて背高収納体２６をスライド移動し、人数に適した大きさのダイニングテーブル部分を形成して、コミュニケーションを取りやすい食事の場を提供することが可能になる。また背高収納体２６による収納箱２１を挟んだダイニングテーブル部分とは反対側では、収納箱２１によって遮られた状態で、作業机として家事や、趣味、勉強等を行ったり、システムキッチン１３や電磁加熱調理器３１を用いて調理や後片づけを行うことができると共に、これらの作業を行いつつ、食事をしている者とのコミュニケーションも図りやすくなる。さらに、例えば収納箱２１に設けられたテレビ３２を見ながら食事をすることが可能になると共に、パソコンを用いて趣味や仕事を行うことも可能になり、また雑誌や新聞等も出入れし易くなることから、使い勝手の良い位置に適宜移動した収納箱２１によって、家事、料理、趣味、勉強、情報伝達等の場を容易に形成することが可能になる。さらに、生活を豊かにする食を一層楽しむことのできる空間作りが可能になると共に、大型のテーブル本体２０と多機能タワーとしての収納箱２１とによって、家族全員のコミュニケーションが生まれる場を容易に作り出すことが可能になる。さらにまた、大きな調理台スペースを作り出して、参加型の料理によるコミュニケーションの場を作ることも可能になる。
【００２５】
したがって、本第１実施形態のダイニングキッチン１２に設置されるテーブル１０、及びダイニングキッチン１２よれば、使い勝手が良く、家事、料理、趣味、勉強等にも対応できる多機能性を備えると共に、コミュニケーションが生まれる場を容易に作ることが可能になる。
【００２６】
図４は、本発明の第２実施形態に係るダイニングキッチン１２に設置されるテーブル５０を示すものであり、本第２実施形態によれば、収納箱５１は、略円筒形の外郭形状を有していると共に、これの下端部に配置された円盤形状の基台部５２に対して回転可能に設けられている。また、テーブル本体５３のテーブル板５４をスライドガイド部として、収納箱５１をテーブル板５４の長手方向Ｘに沿ってスライド移動させるスライド機構は、図５に示すように、収納箱５１の下端部の基台部５２に取り付けられたスライド支持金物５５の、テーブル板５４の両側角部をＬ字形に覆うＬ字形状部分５６に取り付けられた、テーブル板５４の側端面に沿って走行する端面戸車部材５７と、テーブル板５４の上面側縁部に沿って走行する縁部戸車部材５８とによって構成される。
【００２７】
さらに、本第２実施形態によれば、テーブル板５４とこれ下方の床面５９との間に配置されて、下方収納箱６０が、床面５９に敷設された案内レース６１にガイドされて、収納箱５１とは独立してテーブル板５４の長手方向Ｘにスライド移動させることができるようになっている。
【００２８】
そして、本第２実施形態のテーブル５０によっても、大型のテーブル本体５３に対して多機能タワーとしての収納箱５１を適宜スライド移動させつつ用いることにより、上記第１実施形態のテーブル１０と同様の作用効果を奏することになる。
【００２９】
なお、本発明は上記各実施形態に限定されることなく種々の変更が可能である。例えば、スライド機構は、上記各実施形態の構成のものに限定されることなく、その他の種々のスライド機構を採用することができ、また下方収納部２５や下方収納箱６０を備えている必要は必ずしもない。さらに、収納箱には、食器、調理具、雑誌、新聞、テレビ、又はパソコンに限定されることなく、その他の種々の物を収容することができる。
【図面の簡単な説明】
【００３０】
【図１】本発明の各実施形態のテーブルが配置される、ダイニングキッチンを備える住宅の一例を示す間取り図である。
【図２】本発明の第１実施形態に係るテーブルを示す斜視図である。
【図３】本発明の第１実施形態に係るテーブルの構成を説明する、図２のＡ−Ａに沿った断面図である。
【図４】本発明の第２実施形態に係るテーブルを示す略示斜視図である。
【図５】本発明の第２実施形態のテーブルにおけるスライド機構の構成を説明する部分断面図である。
【符号の説明】
【００３１】
１０，５０  テーブル
１１  住宅
１２  ダイニングキッチン
１３  システムキッチン
１９，５４  横長帯板形状のテーブル板
２０，５３  テーブル本体
２１，５１  収納箱
２２  スライド機構
２３  上方収納部
２４，５９  床面
２５  下方収納部
２６  背高収納体
２７，６１  案内レール
２８  戸車部材
２９  板状支持脚部
３０  箱状支持脚部
３１  電磁加熱調理器
３２  テレビ
３５  ロの字開口部
５２  基台部
５５  スライド支持金物
５６  Ｌ字形状部分
５７  端面戸車部材
５８  縁部戸車部材
６０  下方収納箱
Ｘ    テーブル板の長手方向
【図１】
2005176961.tif 000003
【図２】
2005176961.tif 000004
【図３】
2005176961.tif 000005
【図４】
2005176961.tif 000006
【図５】
2005176961.tif 000007